(57)【要約】【課題】計量室の大きさを自由に設定することが容易な錠剤等の計量容器を提案する。【解決手段】容器体１口部へ、第１フランジ状頂壁１２外周から垂下する第１周壁１３を嵌着させると共に、該第１周壁内周から前半部を開口１９させた第１有頂筒部１８を起立して、その後半部内を計量室２０としたヘッド部材１１を設け、又第２フランジ頂壁３２外周から第２周壁３３を垂下し、かつ内周から第２有頂筒部３４を起立するキャップ３１を設けて、第２有頂筒部３４を第１有頂筒部１８外面へ、又第１周壁１３ないし容器体上部外面へ第２周壁３３を嵌合させた。【選択図】　図１
2004090974.tif 000002
【特許請求の範囲】
【請求項１】
上面開口の筒部２を有する容器体１と、
該容器本体口部へ、第１フランジ状頂壁１２から垂下させた第１周壁１３を嵌着させると共に、第１フランジ状頂壁１２内周から起立させた第１有頂筒部１８の前半部を開口１９させて後半部内を計量室２０としたヘッド部材１１と、
上記第１周壁１３ないし第１周壁下方の容器本体部分外面へ、第２フランジ状頂壁３２から垂下させた第２周壁３３を嵌合させると共に、第２フランジ状頂壁内周から起立させた第２有頂筒部３４を第１有頂筒部外面へ嵌合させて開口１９を閉塞させたキャップとで形成した
ことを特徴とする、錠剤等計量容器。
【請求項２】
容器体１の口部が囲む第１フランジ状頂壁１２部分下面から、複数のガイド板１５を垂下すると共に、それ等ガイド板の第１周壁１３中心軸線側の側面には、それぞれ下外方への傾斜面１６を付形した
ことを特徴とする、請求項１記載の錠剤等計量容器。
【請求項３】
上記第２周壁３３と、該第２周壁下方の容器本体筒部分との各左右両側部外面から、それぞれ第２、第１側板３５，７を側外方へ突出させた
ことを特徴とする、請求項１又は２記載の錠剤等計量容器。
【請求項４】
上記第１周壁１３嵌合部分下方の容器体筒部分を雄ねじ筒５に形成してキャップの第２周壁３３を螺合させると共に、これ等雄ねじ筒下端部と第２周壁下端部とに、凹凸の係止手段を設けて、上記第１、第２側板７，３５がほぼ同一垂直面内に位置したとき、上記係止手段が嵌合可能に形成した
ことを特徴とする、請求項３記載の錠剤等計量容器。
【発明の詳細な説明】
【０００１】
【発明の属する技術分野】
本発明は、例えば錠剤等の計量容器に関する。
【０００２】
【従来の技術】
例えば特開２００２−１６６９５９　号が示すように容器体口頸部に嵌合させたキャップの上部内に計量室を設けると共に、該キャップにスライド部材を装着させて、該スライド部材をキャップに対して摺動させると計量室上面に穿設した振出し孔が開いて計量室内の錠剤等を振出しできるように設けた計量容器が知られている。
【０００３】
【発明が解決しようとする課題】
上記キャップは容器体に対して小形であり、よって計量室を大きくして比較的多くの錠剤等を計量し、取り出す場合には不便があった。
【０００４】
本発明は容器体上部に容量を自由に定めることのできる計量室を有するヘッド部材を付設し、計量された数量の収納物を確実に取出しできるよう設けたものである。
【０００５】
【課題を解決するための手段】
第１の手段として、上面開口の筒部２を有する容器体１と、
該容器本体口部へ、第１フランジ状頂壁１２から垂下させた第１周壁１３を嵌着させると共に、第１フランジ状頂壁１２内周から起立させた第１有頂筒部１８の前半部を開口１９させて後半部内を計量室２０としたヘッド部材１１と、
上記第１周壁１３ないし第１周壁下方の容器本体部分外面へ、第２フランジ状頂壁３２から垂下させた第２周壁３３を嵌合させると共に、第２フランジ状頂壁内周から起立させた第２有頂筒部３４を第１有頂筒部外面へ嵌合させて開口１９を閉塞させたキャップとで形成した。
【０００６】
第２の手段として、上記第１の手段を有すると共に、容器体１の口部が囲む第１フランジ状頂壁１２部分下面から、複数のガイド板１５を垂下すると共に、それ等ガイド板の第１周壁１３中心軸線側の側面には、それぞれ下外方への傾斜面１６を付形した。
【０００７】
第３の手段として、上記第１又は第２の手段を有すると共に、上記第２周壁３３と、該第２周壁下方の容器本体筒部分との各左右両側部外面から、それぞれ第２、第１側板７，３５　を側外方へ突出させた。
【０００８】
第４の手段として、上記第３の手段を有すると共に、上記第１周壁１３嵌合部分下方の容器体筒部分を雄ねじ筒５に形成してキャップの第２周壁３３を螺合させると共に、これ等雄ねじ筒下端部と第２周壁下端部とに、凹凸の係止手段を設けて、上記第１、第２側板７，３５がほぼ同一垂直面内に位置したとき、上記係止手段が嵌合可能に形成した。
【０００９】
【発明の実施の形態】
以下図面について説明すると、１は有底かつ上面開口の筒部２を有する容器体で、その筒部の上端部は小外径とし、かつ該小外径部分３の上部外面に係合突条４を周設し、又上記小外径部分下方の筒部分上部を雄ねじ筒５とし、かつ該雄ねじ筒下端に外向きフランジ６を付設している。又図２が示すように、その外向きフランジ付設部分を含めてその下方筒部分の左右側面からは、第１側板７，７を側外方へ突出させている。更に上記外向きフランジ上面と接して雄ねじ筒５下端部分には、雄ねじの歯先円とほぼ同外径の突条８を周設し、上記第１側板７，７の上面と連なる突条８部分外面には、凸部９，９を付設している。
【００１０】
上記容器体１上部へは、ヘッド部材１１を嵌着させる。該ヘッド部材は、第１フランジ状頂壁１２外周から垂下する第１周壁１３を容器体の小外径部３外面へ嵌合させ、第１周壁下端内面へ周設した突条を係合突条４下面へ係合させ、第１フランジ状頂壁の外周部下面から垂設したシール筒１４を容器体筒部の上端部内面へ気密に嵌合させている。又そのシール筒よりも内方の第１フランジ状頂壁部分下面からは、複数のガイド板１５をほぼ等間隔に垂下させ、それ等各ガイド板の第１周壁１３の中心軸線側の側面へ、それぞれ下外方への傾斜面１６を付形している。尚それ等ガイド板は横断面長方形状となし、その長方形状の上端面を、上記中心軸線からの放射線上に位置させて第１フランジ状頂壁部分下面へ付設している。上記第１フランジ状頂壁１２内周部からは、下端を大外径部１７とした、第１有頂筒部１８を起立し、その大外径部１７よりも上方の筒部分の前半を開口１９させている。その第１有頂筒部の後半部内面は図６が示すように錠剤等の計量室２０とするもので、その長さおよび大きさは錠剤等４１を適当量収納可能に形成する。
【００１１】
３１はキャップで、第２フランジ状頂壁３２外周から第２周壁３３を垂下し、かつ内周から第２有頂筒部３４を起立し、又図２、図３が示すように第２周壁３３の左右両側部外面からは、第２側板３５，３５　を外方へ突出する。第２周壁３３の下半は雌ねじ筒として雄ねじ筒５へ螺合可能に形成し、又その螺合締付けによって第２周壁３３下端が第１側板７，７上面へ接し、ないし近接したとき、既述凸部９，９が嵌合する凹部３６，３６　を第２周壁の下端内面に有し、図４のように凹部３６へ凸部９が嵌合したとき図２が示すように、第１側板７，７の上面に第２側板３５，３５　下面が接し、ないし近接して位置するよう設けている。
【００１２】
第２フランジ状頂壁３２内周から起立する第２有頂筒部３４は、その下端内径を、第１有頂筒部下端の大外径部１７外径と同外径とし、第１有頂筒部外面へ、第２有頂筒部３４を嵌合させ、第２周壁３３を雄ねじ筒５外面へ締付けたとき、大外径部１７外面へ第２有頂筒部３４の下端内面が、又第１フランジ状頂壁１２上面へ、第２フランジ状頂壁３２下面が、それぞれ気密に接するよう設けている。
【００１３】
上記構成において、予め容器体内へ錠剤等４１を収納させておき、図２が示す状態から図３のようにキャップ３１を螺脱し、開口１９を上向きとして図６が示すように容器体を横向きに倒すと、容器体内の錠剤等は各傾斜面１６に沿い、第１有頂筒部の後半部が形成する計量室２０内へ入る。該後半部は有頂筒部の前半部を開口した形状であるため、先端面閉塞の樋状をなすこととなり、よってその計量室内へは所定量以上の錠剤等が入ることはない。該図６の状態から容器体１を、その軸線を中心として回動させ、開口１９を横向きないし下向きとすることで、上記計量室内の錠剤等を取出すことが出来、該取出し後は容器体を正立に戻し、キャップ３１を嵌合させる。
【００１４】
尚本発明において錠剤等とは、顆粒、粉末を含むものとする。
【００１５】
【発明の効果】
本発明は既述構成とするものであり、請求項１記載の構成とすれば、第１有頂筒部１８の長さによって計量室２０の大きさを自由に変えることが出来る便利があり、請求項２記載のようにすることで、容器体内の錠剤等を計量室２０内へ入れ易く、請求項３のようにすることで、容器体に対してキャップをひねり易く、よってキャップの着脱を容易とすることが出来ると共に、容器を差別化させて独自の形状とすることが出来、請求項４のようにすることで、容器体に対してキャップ３１を常に正確な締付け位置まで締付けすることが容易であり、キャップの締め不足、又締め過ぎを防止できる。
【図面の簡単な説明】
【図１】本発明容器の側方からみた縦断面図である。
【図２】図１容器を正面からみた縦断面図である。
【図３】図２容器の分解正面図である。
【図４】図２要部の拡大断面図である。
【図５】図３容器体の底面図である。
【図６】容器体内錠剤等の計量状態を示す縦断面図である。
【符号の説明】
１…容器体　　　　　　　　　　　　　　５…雄ねじ筒
７…第１側板　　　　　　　　　　９…凸部
１１…ヘッド部材　　　　　１５…ガイド板
１８…第１有頂筒部　　　　　　　　２０…計量室
３１…キャップ　　　　　　　　　　　　３３…第２周壁
３４…第２有頂筒部　　　　３５…第２側板
【図１】
2004090974.tif 000003
【図２】
2004090974.tif 000004
【図３】
2004090974.tif 000005
【図４】
2004090974.tif 000006
【図５】
2004090974.tif 000007
【図６】
2004090974.tif 000008